(57)【特許請求の範囲】
【請求項１】
建物の階間において幅方向に延びる階間躯体部に固定された、外壁面材の下端部と、前記外壁面材の下端部よりも下方に位置する屋根部材との取合い部における水切構造であって、
前記階間躯体部は、前記屋根部材の屋根面の屋内方向端部に当接または近接して位置し、上下方向に延びる第１の躯体面と、前記第１の躯体面よりも上方かつ屋内方向に位置し、上下方向に延びる第２の躯体面とを有しており、
前記第１の躯体面に固定される立上り部を有し、前記屋根部材と前記第１の躯体面との間への水の浸入を遮るための第１の水切材と、
前記第２の躯体面に固定され、前記第１の躯体面と前記第２の躯体面との段差部分に位置する第３の躯体面を覆う第２の水切材と、
前記第１の水切材と一体または別体に設けられ、前記立上り部から屋外方向に突出する突出部と、前記突出部の屋外方向端部から上下方向に延びる取付け部とを有する支持部と、
前記支持部の前記取付け部に固定され、前記外壁面材の下端部から下方に延びて前記第２の水切材の屋外方向端部を覆う第３の水切材とを備え、
前記取付け部の上端高さは、前記外壁面材の下端高さよりも低い、水切構造。
【請求項２】
前記支持部は、前記第１の水切材に一体的に含まれる、請求項１に記載の水切構造。
【請求項３】
前記支持部は、前記第１の水切材に連結されている、請求項１に記載の水切構造。
【請求項４】
前記第１の水切材は、前記屋根部材の屋根面に沿って延びる屋根水切部を含み、
前記立上り部は、前記屋根水切部の屋内方向端部から上方へ立ち上がり、前記第１の躯体面に当接する、請求項１〜３のいずれかに記載の水切構造。
【請求項５】
前記第３の水切材は、前記外壁面材の下端部から下方に延び、前記支持部の取付け部に取付けられる覆い部を含む、請求項１〜４のいずれかに記載の水切構造。
【請求項６】
前記第２の水切材は、前記第２の躯体面に当接する当接部と、前記当接部から屋外方向へ延び、前記外壁面材の裏面と前記第２の躯体面との間に形成された通気層からの水を受ける水受け部と、前記水受け部の屋外方向端部から前記支持部の突出部にまで垂れ下がる垂下り部とを含む、請求項１〜５のいずれかに記載の水切構造。
【請求項７】
前記支持部は、幅方向に沿って延在しており、
前記支持部の突出部のうち、前記第２の水切材の前記垂下り部よりも屋外方向に位置する部分には、幅方向に間隔をあけて複数の孔が設けられている、請求項６に記載の水切構造。
【発明の詳細な説明】
【技術分野】
【０００１】
本発明は、建物の階間において幅方向に延びる階間躯体部に固定された外壁面材の下端部と、外壁面材の下端部よりも下方に位置する屋根部材との取合い部における水切構造に関する。
【背景技術】
【０００２】
プレハブ住宅は、工場で生産された、住宅の床や壁などの構造体が規格化されたパネルを、現場で組み立てることによって建設される。このようなパネル工法においては、一般的に、外装材などの外壁面材は、工場において外壁パネル（躯体部）に予め固定されている。一方で、庇などの屋根部材が取付けられる箇所においては、外壁面材が外壁パネルから予め取り除かれている場合がある。
【０００３】
このような場合、現場で屋根部材が取付けられると、屋根部材の基端部（屋内方向端部）のすぐ上には上階側の外壁面材が配置されているため、外壁面材の下端部と屋根部材との取合い部における防水処理は、非常に狭い空間内で施工しなければならない。
【０００４】
特開２０００−２０４７３０号公報（特許文献１）では、建築現場において外壁パネルに下屋を取付ける際の施工を容易にするために、下屋の屋根面に被さるように配置された雨押えと、下屋と外装材との間を覆うカバー材とが、外壁パネルを構成する壁体に固定される技術が提案されている。
【先行技術文献】
【特許文献】
【０００５】
【特許文献１】特開２０００−２０４７３０号公報
【発明の概要】
【発明が解決しようとする課題】
【０００６】
特許文献１に示されるように、取合い部に位置する階間躯体部の屋外面（躯体面）を防水したり、屋根部材と躯体面との間への浸水を遮ることを目的として、複数の水切材が固定されることがある。しかし、一般的に、取合い部において屋外方向を向く躯体面は、同一平面（垂直面）上に延在している。
【０００７】
ところが、屋根部材の取付け手法などに起因して、取合い部に位置する躯体部が階段状に形成されている場合がある。つまり、取合い部に位置する躯体面に、上下方向の段差が設けられている場合がある。上記した特許文献１においても、取合い部に位置する躯体面は同一平面上に延在しており、従来から、躯体面に段差が設けられた階間躯体部に適した水切構造は、提案されていない。
【０００８】
また、特許文献１では、カバー材の下端部は、ビスによって躯体部（壁体）に固定されているが、カバー材の上端部は、外壁面材裏側の通気層に嵌め込まれたカバー受材に係合されて固定されている。そのため、特許文献１に提案されている水切構造を実現するためには、外壁パネルの製造時に、カバー受材を予め胴縁に取付けておかなければならなかった。
【０００９】
本発明は、上記のような課題を解決するためになされたものであって、その目的は、外壁面材の下端部と屋根部材との取合い部において、簡易な構成で、躯体面に段差が設けられた階間躯体部の防水性を向上させることのできる水切構造を提供することである。
【課題を解決するための手段】
【００１０】
この発明のある局面に従う水切構造は、建物の階間において幅方向に延びる階間躯体部に固定された、外壁面材の下端部と、外壁面材の下端部よりも下方に位置する屋根部材との取合い部における水切構造である。階間躯体部は、屋根部材の屋根面の屋内方向端部に当接または近接して位置し、上下方向に延びる第１の躯体面と、第１の躯体面よりも上方かつ屋内方向に位置し、上下方向に延びる第２の躯体面とを有している。水切構造は、第１の躯体面に固定され、屋根部材と第１の躯体面との間への水の浸入を遮るための第１の水切材と、第２の躯体面に固定され、第１の躯体面と第２の躯体面との段差部分に位置する第３の躯体面を覆う第２の水切材と、外壁面材の下端部から下方に延び、第２の水切材の屋外方向端部を覆う第３の水切材とを備える。
【００１１】
好ましくは、第３の水切材は、第１の水切材または第２の水切材に含まれる支持部に固定される。
【００１２】
あるいは、当該水切構造は、第１の水切材または第２の水切材に連結され、第３の水切材を支持するための支持部をさらに備えていてもよい。この場合、第３の水切材は、支持部に固定される。
【００１３】
好ましくは、第１の水切材は、屋根部材の屋根面に沿って延びる屋根水切部と、屋根水切部の屋内方向端部から上方へ立ち上がり、第１の躯体面に当接する立上り部とを含む。この場合、支持部は、立上り部に連結されている。
【００１４】
支持部は、第１の水切材の立上り部から屋外方向に突出する突出部と、突出部の屋外方向端部に連結され、上下方向に延びる取付け部とを有していることが望ましい。
【００１５】
好ましくは、第３の水切材は、外壁面材の下端部から下方に延び、支持部の取付け部に取付けられる覆い部を含む。
【００１６】
好ましくは、第２の水切材は、第２の躯体面に当接する当接部と、当接部から屋外方向へ延び、外壁面材の裏面と第２の躯体面との間に形成された通気層からの水を受ける水受け部と、水受け部の屋外方向端部から支持部の突出部にまで垂れ下がる垂下り部とを含む。
【００１７】
好ましくは、支持部は、幅方向に沿って延在している。この場合、支持部の突出部のうち、第２の水切材の垂下り部よりも屋外方向に位置する部分には、幅方向に間隔をあけて複数の孔が設けられていることが望ましい。
【００１８】
好ましくは、第２の水切材は、第２の躯体面に当接する当接部と、当接部から屋外方向へ延び、外壁面材の裏面と第２の躯体面との間に形成された通気層からの水を受ける水受け部と、水受け部の屋外方向端部から下方に垂れ下がる垂下り部とを含む。この場合、支持部は、垂下り部に連結されていてもよい。
【発明の効果】
【００１９】
本発明によれば、外壁面材の下端部と屋根部材との取合い部において、簡易な構成で、躯体面に段差が設けられた階間躯体部の防水性を向上させることができる。
【図面の簡単な説明】
【００２０】
【図１】本発明の実施の形態に係る、外壁面材の下端部と屋根部材との取合い部における水切構造を模式的に示す模式断面図である。
【図２】本発明の実施の形態において、第１〜第３の水切材の施工手順を示すフロー図である。
【図３】本発明の実施の形態において、屋根部材が取付けられる前の状態を示す外壁の模式断面図である。
【図４】本発明の実施の形態において、屋根部材が取付けられた状態、および、第１の水切材が固定される様子を示す外壁の模式断面図である。
【図５】本発明の実施の形態における第１の水切材の構成を示す斜視図である。
【図６】本発明の実施の形態において、第２の水切材が固定される様子を示す外壁の模式断面図である。
【図７】本発明の実施の形態において、第３の水切材が固定される様子を示す外壁の模式断面図である。
【図８】第１の水切材の本体部と支持部とが一体形成された例を示す斜視図である。
【図９】第１の水切材本体の他の構成例を示した外壁の模式断面図である。
【図１０】第２の水切材の本体部と支持部とが一体形成された例を示す外壁の模式断面図である。
【発明を実施するための形態】
【００２１】
本発明の実施の形態について図面を参照しながら詳細に説明する。なお、図中同一または相当部分には同一符号を付してその説明は繰返さない。
【００２２】
（水切構造の概要について）
図１を参照して、たとえば２階建ての建物の外壁１における階間躯体部１１に取付けられた庇１８と、その上方に位置する外壁面材１５の下端部との取合い部１０における水切構造２の概要について説明する。
【００２３】
外壁面材１５は、典型的には、サイディング材など、屋外に面する外装材である。なお、階間躯体部１１は、建物の躯体を構成する躯体構造物だけでなく、躯体構造物に隣接状態で固定されている付属物（たとえば下地部材）も含むものとする。このような付属物は、一般的に防水性が求められるものであり、躯体構造物に対し、工場にて固定されていてもよいし、現場にて固定されてもよい。
【００２４】
本実施の形態において、建物の外壁１は、工場において予め製造された外壁パネルによって構成されている。この場合、外壁１は、フレームや断熱材を含むパネル部１２と、上記外壁面材１５と、外壁面材１５よりも屋内方向に位置し、パネル部１２に隣接する内側面材１４とを含む。内側面材１４と外壁面材１５との間には、通気層１６が形成されている。外壁面材１５の下端位置は、内側面材１４の下端位置よりも低くてもよい。
【００２５】
パネル部１２は、外壁１の階間躯体部１１として機能しており、１階の壁体部１２１と、２階の壁体部１２２と、これらを接続する接続部とを有している。本実施の形態では、庇１８の取付けのために１階の壁体部１２１の屋外面に固定された下地部材１３も、階間躯体部１１として機能している。
【００２６】
そのため、取合い部１０に位置する階間躯体部１１の断面形状は、階段状となっている。すなわち、階間躯体部１１は、屋外空間に面する３つの躯体面として、上下方向に延びる第１および第２の躯体面１１ａ，１１ｂと、第１および第２の躯体面１１ａ，１１ｂの段差部分に位置する第３の躯体面１１ｃとを有している。
【００２７】
第１の躯体面１１ａは、下地部材１３の上端部における屋外面によって構成されている。外壁１の厚み方向における、第１の躯体面１１ａの位置は、典型的には、通気層１６の厚み範囲内であって、外壁面材１５の裏面に近い位置である。第２の躯体面１１ｂは、下地部材１３よりも上方に位置するパネル部１２の屋外面によって構成される。つまり、第２の躯体面１１ｂは、第１の躯体面１１ａよりも上方かつ屋内方向に位置している。第３の躯体面１１ｃは、第１の躯体面１１ａの上端と第２の躯体面１１ｂの下端との間において、水平方向に延びている。本実施の形態では、第３の躯体面１１ｃは、内側面材１４および通気層１６の下方に位置している。
【００２８】
外壁１では、庇１８の取付け箇所において、内側面材１４および外壁面材１５が取り除かれている。そのため、図１に示す外壁１の断面では、内側面材１４および外壁面材１５、ならびに通気層１６は、２階部分にのみ配置されている。
【００２９】
庇１８は、階間躯体部１１のうちの下地部材１３に固定されている。この場合、庇１８の屋根面１８０の屋内方向端部は、第１の躯体面１１ａ、すなわち下地部材１３の屋外面に当接または近接する。本実施の形態では、庇１８は、下地部材１３に固定された庇支持部材１７を介して取付けられる。
【００３０】
なお、下地部材１３は、複数の部材が厚み方向に重ねられて構成されていてもよい。また、そのような場合、下地部材１３の厚み（奥行き寸法）は、庇支持部材１７の取付け位置と、庇１８の屋根面１８０の配置位置とで異なっていてもよい。具体的には、屋根面１８０の配置位置の方が、庇支持部材１７の取付け位置よりも屋外方向に張り出していてもよい。
【００３１】
本実施の形態では、外壁面材１５の下端部と庇１８との取合い部１０に、第１〜第３の水切材２１〜２３が設けられている。これらは、たとえば鋼製の部材である。第１の水切材２１は、庇１８と第１の躯体面１１ａとの間への水の浸入を遮るために配置される。第２の水切材２２は、第３の躯体面１１ｃの防水のために配置される。第３の水切材２３は、見切り材としても機能し、外壁面材１５の下端部から下方に延び、第２の水切材２２の屋外方向端部を覆うように配置される。
【００３２】
第１〜第３の水切材２１〜２３は、いずれも、外壁１の幅方向（水平面上において、厚み方向に直交する方向）に長さを有している。典型的には、第１の水切材２１は、第１の躯体面１１ａに固定され、第２の水切材２２は、第２の躯体面１１ｂに固定される。また、第３の水切材２３は、第１の水切材２１に含まれる支持部２４に固定される。なお、図示されるように、第１の水切材２１は、庇１８と一体的に形成されていてもよい。
【００３３】
以下に、これら第１〜第３の水切材２１〜２３の構成例および配置例について、詳細に説明する。
【００３４】
（第１〜第３の水切材について）
第１〜第３の水切材２１〜２３の構成例および配置例については、理解を容易にするために、図２に示す、取合い部１０における第１〜第３の水切材２１〜２３の施工手順に沿って説明する。
【００３５】
図３に示されるように、庇１８が取付けられる前の状態においては、階間躯体部１１の躯体面１１ａ〜１１ｃが、屋外空間に露出されている。また、下地部材１３には、庇支持部材１７が固定されている。
【００３６】
図２および図４を参照して、はじめに、庇１８が、庇支持部材１７を介して階間躯体部１１に取付けられる（工程Ｐ１）。図４に示されるように、庇１８は、連結部材１９によって庇支持部材１７に固定されている。本実施の形態では、上述のように、第１の水切材２１が庇１８と一体的に形成されているため、庇１８の取付けによって、第１の水切材２１は自ずと適所（所定位置）に配置される。
【００３７】
第１の水切材２１は、屋根水切部３１と、立上り部３２とを含んでいる。屋根水切部３１は、庇１８の屋根面１８０に沿って延びている。本実施の形態では、屋根水切部３１は、庇１８の屋根面１８０の一部を構成している。そのため、本実施の形態では、庇１８の屋根面１８０は、第１の躯体面１１ａに近接して配置されている。立上り部３２は、屋根水切部３１の屋内方向端部から上方へ立ち上がり、第１の躯体面１１ａに当接している。立上り部３２には、幅方向に沿って間隔をあけて設けられた複数の貫通孔３２０が設けられている。立上り部３２は、第１の躯体面１１ａの上端よりも少しだけ上方へ延びていてもよい。屋根水切部３１と立上り部３２とは、第１の水切材２１の本体部として機能している。第１の水切材２１の本体部は、たとえばＬ字状断面を有している。
【００３８】
上述のように、第２の水切材２２は、取合い部１０の奥に位置する第２の躯体面１１ｂに固定されるが、この固定作業は、図３に示す、外壁面材１５の下端部と下地部材１３の上端部との間の高さ範囲Ｌ内において行わなければならない。この高さ範囲Ｌは、大よそ２０ｍｍしかない。したがって、第１の水切材２１は、この固定作業の邪魔にならないような形状であることが望ましい。なお、図３の想像線は、庇１８の屋根面１８０の位置を示している。
【００３９】
上述のように、第１の水切材２１は、第３の水切材２３を支持するための支持部２４を含んでいる。支持部２４もまた、たとえば鋼製の部材であり、第１の水切材２１本体の立上り部３２に連結されている。支持部２４については、図５をさらに参照して説明する。
【００４０】
図４および図５に示されるように、支持部２４は、幅方向に長さを有しており、連結部４１と、突出部４２と、取付け部４３とを含む。連結部４１は、第１の水切材２１本体の立上り部３２に連結され、上下方向に延びている。連結部４１には、立上り部３２における貫通孔３２０と同じ間隔で、厚み方向に貫通する複数の貫通孔４１０が設けられている。立上り部３２と支持部２４の連結部４１とは、工場において予めリベット８１などによって連結されている。
【００４１】
突出部４２は、連結部４１の上端部から屋外方向に突出している。取付け部４３は、突出部４２の屋外方向端部に連結され、上下方向に延びている。取付け部４３には、幅方向に沿って間隔をあけて設けられた複数の貫通孔４３０が設けられている。
【００４２】
支持部２４は、たとえばＺ字状断面を有しており、突出部４２の屋外方向端部に、取付け部４３の下端部が連結されている。取付け部４３の上端高さは、外壁面材１５の下端高さよりも低い位置である。また、突出部４２は、外壁面材１５の表面の位置よりも屋外方向に突出している。これにより、後に行われる第２の水切材２２の固定作業のスペースを確保することができる。
【００４３】
庇１８が取付けられ、第１の水切材２１が所定位置に配置されると、第１の水切材２１が、支持部２４とともに第１の躯体面１１ａに固定される（工程Ｐ２）。具体的には、図４に示されるように、ネジなどの固定部材７１が、支持部２４の連結部４１に設けられた貫通孔４１０と、立上り部３２に設けられた貫通孔３２０とを貫通し、階間躯体部１１の下地部材１３に挿通されることによって、第１の水切材２１が固定される。
【００４４】
第１の水切材２１が固定されると、第２の水切材２２が、第３の躯体面１１ｃを覆うように、第２の躯体面１１ｂに固定される（工程Ｐ３）。図６に示されるように、第２の水切材２２は、当接部５１と、水受け部５２と、垂下り部５３とを有している。当接部５１は、階間躯体部１１の第２の躯体面１１ｂに当接し、上下方向に延びている。当接部５１には、幅方向に間隔をあけて複数の貫通孔５１０が設けられている。水受け部５２は、第３の躯体面１１ｃよりも少し浮かせた状態で配置されており、当接部５１の端部から、第３の躯体面１１ｃの屋外方向端部よりも突出するように屋外方向に延びている。
【００４５】
さらに、水受け部５２は、外壁面材１５の裏面位置よりも屋外方向にまで延びており、通気層１６から落下する水を受ける。垂下り部５３は、水受け部５２の屋外方向端部から下方に垂れ下がる。垂下り部５３は、支持部２４の突出部４２の途中位置に配置されている。垂下り部５３の下端部は、支持部２４の突出部４２上面に接していることが望ましい。
【００４６】
この場合、水受け部５２が受けた通気層１６からの水は、支持部２４の突出部４２上に流れるため、突出部４２のうち、垂下り部５３よりも屋外方向に位置する部分には、幅方向に間隔をあけて複数の孔４２０が設けられている。これにより、通気層１６の通気性を確保するとともに、排水が支持部２４の突出部４２上に溜まってしまうことを防止することができる。
【００４７】
このような構成の第２の水切材２２は、ネジなどの固定部材７２が、当接部５１に設けられた貫通孔５１０を貫通し、階間躯体部１１のパネル部１２に挿通されることによって、固定される。
【００４８】
第２の水切材２２が固定されると、第３の水切材２３が、支持部２４に固定される（工程Ｐ４）。図７に示されるように、第３の水切材２３は、掛止部６１と、覆い部６２とを有している。掛止部６１は、外壁面材１５の下端部に掛止される。具体的には、掛止部６１は、外壁面材１５の裏面に当接する裏面当接部６１１と、外壁面材１５の下端面に当接する下端面当接部６１２とを含む。
【００４９】
覆い部６２は、外壁面材１５の下端部から下方に延び、支持部２４の取付け部４３に取付けられる。具体的には、覆い部６２は、掛止部６１の下端面当接部６１２の屋外方向端部に連結され、屋外方向へ向けて下方へ傾斜する傾斜部６２１と、傾斜部６２１の下端部の下端部に連結され、支持部２４の取付け部４３に当接する被取付け部６２２と、被取付け部６２２の下端部から屋外方向に折り返された折返し部６２３とを有している。被取付け部６２２には、幅方向に間隔をあけて複数の貫通孔６２０が設けられている。折返し部６２３は、支持部２４の突出部４２よりも下方、かつ、第１の水切材２１の屋根水切部３１よりも上方に位置している。
【００５０】
このような構成の第３の水切材２３は、取付けの際、外壁面材１５の下端部と第２の水切材２２の水受け部５２との隙間に、掛止部６１の裏面当接部６１１を潜らせる。掛止部６１が外壁面材１５の下端部に引掛けられると、覆い部６２の被取付け部６２２と支持部２４の取付け部４３とは、面接触状態となる。
【００５１】
第３の水切材２３は、この状態で、ネジなどの連結部材７３が、被取付け部６２２に設けられた貫通孔６２０および支持部２４の取付け部４３に設けられた貫通孔４３０に挿通されることによって、固定される。なお、貫通孔４３０，６２０の内側には、雌ネジが切られていてもよい。
【００５２】
以上の手順を経て第１〜第３の水切材２１〜２３が固定されると、図１に示されるような水切構造２が実現される。本実施の形態によれば、特殊な部材を用いることなく、３つの水切材２１〜２３を固定することができる。したがって、簡易な構成で、躯体面に段差が設けられた階間躯体部１１の防水性を向上させることができる。
【００５３】
また、第３の水切材２３を固定するための支持部２４が、第１の水切材２１の本体部（屋根水切部３１および立上り部３２）に予め連結されているため、現場での作業性を向上させることができる。
【００５４】
また、幅方向に沿って延びる支持部２４が、第１の水切材２１の立上り部３２に連結されるため、仮に第３の水切材２３の下から風雨が吹き込んできたとしても、風雨を、支持部２４の突出部４２によって返すことができる。そのため、風雨が、第２の水切材２２の垂下り部５３と第１の水切材２１の立上り部３２との間を通過して第３の躯体面１１ｃまで至ることを防止することもできる。
【００５５】
なお、本実施の形態では、支持部２４は、第１の水切材２１の本体部、すなわち屋根水切部３１および立上り部３２とは、別部材によって形成されていたが、本体と一体形成されていてもよい。このような第１の水切材の構成例を図８に示す。図８を参照して、第１の水切材２１Ａに含まれる支持部２４Ａは、上記した連結部４１を有さず、突出部４２の屋内方向端部が、立上り部３２の上端部に連結されている。
【００５６】
あるいは、本実施の形態では、支持部２４は、工場にて予め、第１の水切材２１と一体的に連結されていることとしたが、第１の水切材２１への支持部２４の連結は、現場にて行われてもよい。すなわち、支持部２４は、第１の水切材２１に含まれなくてもよい。この場合、図５に示したような、第１の水切材２１と支持部２４との連結のためのリベット８１は必要ない。
【００５７】
支持部２４が第１の水切材２１とは別体として扱われる場合、第２の水切材２２の固定作業の後に、支持部２４の固定作業が行われてもよい。この場合、第１の水切材２１の固定作業は、支持部２４とともに行われてもよいし、支持部２４とは別に（たとえば第２の水切材２２の固定作業の前に）行われてもよい。
【００５８】
また、本実施の形態では、第１の水切材２１は庇１８と一体的に形成されていることとしたが、庇１８とは別体の部材であってもよい。このような第１の水切材の構成例を図９に示す。この場合、図９に示されるように、庇１８の屋根面１８０は、階間躯体部１１の第１の躯体面１１ａに当接している。第１の水切材２１Ｂの屋根水切部３１は、立上り部３２が第１の躯体面１１ａに面接触するように、庇１８の屋根面１８０の屋内方向端部上面に載置される。なお、図９では、一例として、第１の水切材２１Ｂに支持部２４が含まれた例が示されている。
【００５９】
あるいは、支持部２４は、第１の水切材２１ではなく、第２の水切材２２に含まれていてもよい。この場合の第２の水切材の構成例を図１０に示す。図１０を参照して、第２の水切材２２Ａは、支持部２４Ａと一体的に形成されている。この場合、第１の水切材２１Ｃは、本体部、すなわち屋根水切部３１および立上り部３２のみによって構成されている。
【００６０】
支持部２４Ａが第２の水切材２２Ａに連結される場合、たとえば、支持部２４Ａの突出部４２が、第２の水切材２２Ａ本体の垂下り部５３の下端部に連結されている。この場合、第２の水切材２２Ａを安定的に固定するために、第２の水切材２２Ａの水受け部５２は、第１の水切材２１Ｃの立上り部３２によって下方から支持されていてもよい。
【００６１】
なお、本実施の形態では、支持部２４（２４Ａ）は、幅方向に長さを有していることとしたが、幅方向に沿ってピース状に設けられていてもよい。
【００６２】
また、本実施の形態では、建物の外壁１は、外壁パネルによって構成されていることとしたが、限定的ではない。つまり、階間躯体部１１は、外壁パネルのパネル部１２以外の躯体構造物を含んでいてもよい。
【００６３】
また、本実施の形態では、外壁１に庇１８が取付けられる例を示したが、限定的ではなく、外壁１に取付けられる屋根部材は、たとえば下屋であってもよい。つまり、上記水切構造２は、１階（下階）の外壁の方が２階（上階）の外壁よりも屋外方向に張り出した建物にも適用することができる。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６５】
１  外壁、２  水切構造、１０  取合い部、１１  階間躯体部、１１ａ  第１の躯体面、１１ｂ  第２の躯体面、１１ｃ  第３の躯体面、１２  パネル部、１３  下地部材、１４  内側面材、１５  外壁面材、１６  通気層、１７  庇支持部材、１８  庇、１９，７３  連結部材、２１，２１Ａ，２１Ｂ，２１Ｃ  第１の水切材、２２，２２Ａ  第２の水切材、２３  第３の水切材、２４，２４Ａ  支持部、３１  屋根水切部、３２  立上り部、４１  連結部、４２  突出部、４３  取付け部、５１  当接部、５２  水受け部、５３  垂下り部、６１  掛止部、６２  覆い部、７１，７２  固定部材、８１  リベット、１８０  屋根面、３２０，４１０，４３０，６２０，４３０，５１０，６２０  貫通孔、４２０  孔。
【図１】
0006510800.tif 000002
【図２】
0006510800.tif 000003
【図３】
0006510800.tif 000004
【図４】
0006510800.tif 000005
【図５】
0006510800.tif 000006
【図６】
0006510800.tif 000007
【図７】
0006510800.tif 000008
【図８】
0006510800.tif 000009
【図９】
0006510800.tif 000010
【図１０】
0006510800.tif 000011